(57)【要約】【課題】机上面の端部に表示装置を設置する構成において、机上面の作業領域を広く確保することができ、かつ机を壁際に設置したときに机と壁との間に不要な空間が生じないようする。【解決手段】表示装置付机（１）は、机の天板（１１）と、天板（１１）の上面の一方の端部に、表示装置（２０）が設置され、天板（１１）の表示装置（２０）を設置する側の端部には、天板（１１）の上面に接触する部材が天板（１１）の端部側面に沿って屈曲し、天板（１１）の下面に沿って延伸されたベース金具（３０）と、ベース金具（３０）を天板（１１）に固定する固定部材と、ベース金具（３０）の天板（１１）の上面の領域に固定されたジョイント（３１）とを有し、ジョイント（３１）の上端部に表示装置（２０）が取り付けられている。【選択図】図１Ｂ
2017042504.tif 000002
【特許請求の範囲】
【請求項１】
机の天板と、該天板の上面の一方の端部に、表示装置の表示画面を前記天板の反対側の端部に向けて、前記表示装置を設置した表示装置付机であって、
前記天板の前記表示装置を設置する側の端部には、前記天板の上面に接触する部材が前記天板の端部側面に沿って屈曲し、前記天板の下面に沿って延伸されたベース金具と、
該ベース金具を前記天板に固定する固定部材と、
前記ベース金具の前記天板の上面の領域に固定されたジョイントとを有し、
前記ジョイントの上端部に、前記表示装置が取り付けられていることを特徴とする表示装置付机。
【請求項２】
請求項１に記載の表示装置付机において、
前記ジョイントは、前記表示装置の水平方向に一致する方向に位置調整が可能に、前記ベース金具に取り付けられていることを特徴とする表示装置付机。
【請求項３】
請求項１または２に記載の表示装置付机において、
前記固定部材は、前記天板の下側から、前記天板の上面に接触する前記ベース部材に対して前記天板を押圧することにより、前記ベース金具を前記天板に固定することを特徴とする表示装置付机。
【請求項４】
請求項１〜３のいずれか１に記載の表示装置付机において、
前記ジョイントは、前記天板に対する前記表示装置の高さを調整可能としたことを特徴とする表示装置付机。
【請求項５】
請求項１〜４のいずれか１に記載の表示装置付机において、
前記表示装置と前記天板との間で、前記表示装置の正面側から前記ベース金具と前記ジョイントが見えないように覆い隠す飾りカバーを備えることを特徴とする表示装置付机。
【請求項６】
天板を有し、該天板の上面の一方の端部の所定位置に、表示装置の表示画面を前記天板の反対側の端部に向けて、前記表示装置を設置可能な机であって、
前記天板の前記表示装置を設置する側の端部には、前記天板の上面に接触する部材が前記天板の端部側面に沿って屈曲し、前記天板の下面に沿って延伸されたベース金具と、
該ベース金具を前記天板に固定する固定部材と、
前記ベース金具の前記天板の上面の領域に固定されたジョイントとを有し、
前記ジョイントの上端部に、前記表示装置が取り付けられることを特徴とする机。
【発明の詳細な説明】
【技術分野】
【０００１】
本発明は、表示装置付机および表示装置を設置可能な机に関し、より詳細には、机上面に対して表示装置を設置した表示装置付机および表示装置を設置可能な机に関する。
【背景技術】
【０００２】
教育環境自体のＩＴ（Information Technology）化として、タブレット等の情報端末の１人１台配備、学校の高速ブロードバンド接続、電子黒板、無線ＬＡＮ環境整備、デジタル教科書・教材の活用等、初等教育段階から教育環境自体のＩＴ化を進め、児童生徒等の学力の向上とＩＴリテラシーの向上を図る、との政府案が検討されている。これらの取り組みにより、２０１０年代中には、全ての小学校、中学校、高等学校、特別支援学校で教育環境のＩＴ化を実現するものとされている。
【０００３】
学習環境を整える学習机に関して、例えば学習机に設置した表示装置に教材等の画像を適宜表示させながら学習を行うようにすることが考えられる。
例えば特許文献１には、平面視矩形状の天板と、その左右両端を支持する脚または袖キャビネットを備え、天板の位置側端部の近傍にブラケット手段を設け、このブラケット手段に液晶モニターを取り付けた構成の机が開示されている。この机は、天板を脚または袖キャビネットの上面から突出させた前後の受け部材で支持している。これにより、天板と脚または袖キャビネットとの間に空間が空いている。また液晶モニターを取り付けるブラケット手段は、天板と脚または袖キャビネットとの間の空間のうち、前後の受け部材の間に嵌め入れられる嵌入部を備え、その陥入部は、受け部材を介して天板が脚または袖キャビネットに固定されている状態で、これらの間の空間に嵌め入れられてから受け部材に固定されている。
【０００４】
また、特許文献２には、テレビ用の転倒防止装置が開示されている。この転倒防止装置は、テレビ本体の液晶表示画面部枠体の上下各々の左右に、係合止め用の鍵型アームを先部に形成した第一水平支持アーム及び第二水平支持アームと、液晶表示画面部枠体の後部の左右に先端部を当接係合具で係合連結した第三水平支持アームと、液晶表示画面部枠体の後方で前記第一・第二・第三水平支持アームの後部をアーム連結具で上下と前後に位置調節可能に支持連結するスタンドアームと、スタンドアームの下部を連結支持するスタンド連結具とを有し、スタンド連結具に水平旋回用アームと固定台を介して載置台に連結した構成を有している。
【先行技術文献】
【特許文献】
【０００５】
【特許文献１】特開２００５−８７６２６号公報
【特許文献２】特開２０１２−２３５４３３号公報
【発明の概要】
【発明が解決しようとする課題】
【０００６】
上記のように学習机の上に液晶ディスプレイ等の表示装置を置き、表示装置に教材等の画像を適宜表示させながら学習を行うようにすることができる。机の上に表示装置を設置する場合、従来では、表示装置を自立させることができる付属のスタンドを、そのまま机上に配置するか、あるいは例えば市販のモニターアームを使用して、そのモニターアームの端部を表示装置の金具に取り付けるとともに、モニターアームの逆側の端部を机に固定する手法が採られる。
【０００７】
しかしながら、付属のスタンドをそのまま机上に配置する場合は、机の天板の表面の一定の領域をスタンドが占有してしまうため、ユーザが実際に学習や作業等に使用することができる領域を狭めてしまうという課題がある。また、モニターアームを使用して表示装置を机に固定する場合、表示装置の背面にモニターアームとの接続部が配置され、机にもモニターアームの取り付け部品が取り付けられるため、机を壁際に置くときに、机と壁との間で隙間が生じないように配置することができない。
【０００８】
上記特許文献１の机は、付属のスタンドを使用しない状態でブラケット手段により液晶モニターを机に取り付けることができる。しかしながら、液晶モニターをブラケットに固定するための固定部および接続金具が机の端面から机上面の外側に突出している。このため、机を壁際に置くときに、机と壁との間で隙間が生じないように配置することができない。また、特許文献２の転倒防止装置では、表示装置に背面側に保持用の金具を取り付け、杖の表面にボルトで固定している。この場合にも机を壁際に置くときに、机と壁との間で隙間が生じないように配置することができない。
【０００９】
本発明は、上述のごとき実情に鑑みてなされたものであり、机上面の端部に表示装置を設置する構成において、机上面の作業領域を広く確保することができ、かつ机を壁際に設置したときに机と壁との間に不要な空間が生じないようすることができる表示装置付机および表示装置を設置可能な机を提供することを目的とする。
【課題を解決するための手段】
【００１０】
上記課題を解決するために、本発明の第１の技術手段は、机の天板と、該天板の上面の一方の端部に、表示装置の表示画面を前記天板の反対側の端部に向けて、前記表示装置を設置した表示装置付机であって、前記天板の前記表示装置を設置する側の端部には、前記天板の上面に接触する部材が前記天板の端部側面に沿って屈曲し、前記天板の下面に沿って延伸されたベース金具と、該ベース金具を前記天板に固定する固定部材と、前記ベース金具の前記天板の上面の領域に固定されたジョイントとを有し、前記ジョイントの上端部に、前記表示装置が取り付けられていることを特徴としたものである。
【００１１】
第２の技術手段は、第１の技術手段において、前記ジョイントは、前記表示装置の水平方向に一致する方向に位置調整が可能に、前記ベース金具に取り付けられていることを特徴としたものである。
【００１２】
第３の技術手段は、第１または第２の技術手段において、前記固定部材は、前記天板の下側から、前記天板の上面に接触する前記ベース部材に対して前記天板を押圧することにより、前記ベース金具を前記天板に固定することを特徴としたものである。
【００１３】
第４の技術手段は、第１〜第３のいずれか１の技術手段において、前記ジョイントは、前記天板に対する前記表示装置の高さを調整可能としたことを特徴としたものである。
【００１４】
第５の技術手段は、第１〜第４のいずれか１の技術手段において、前記表示装置と前記天板との間で、前記表示装置の正面側から前記ベース金具と前記ジョイントが見えないように覆い隠す飾りカバーを備えることを特徴としたものである。
【００１５】
第６の技術手段は、天板を有し、該天板の上面の一方の端部の所定位置に、表示装置の表示画面を前記天板の反対側の端部に向けて、前記表示装置を設置可能な机であって、前記天板の前記表示装置を設置する側の端部には、前記天板の上面に接触する部材が前記天板の端部側面に沿って屈曲し、前記天板の下面に沿って延伸されたベース金具と、該ベース金具を前記天板に固定する固定部材と、前記ベース金具の前記天板の上面の領域に固定されたジョイントとを有し、前記ジョイントの上端部に、前記表示装置が取り付けられることを特徴としたものである。
【発明の効果】
【００１６】
本発明によれば、机上面の端部に表示装置を設置する構成において、机上面の作業領域を広く確保することができ、かつ机を壁際に設置したときに机と壁との間に不要な空間が生じないようすることができる表示装置付机および表示装置を設置可能な机を提供することができる。
【図面の簡単な説明】
【００１７】
【図１Ａ】第１の実施形態の表示装置付机を正面側斜方から見た全体斜視図である。
【図１Ｂ】第１の実施形態の表示装置付机の分解構成を背面側斜方から見た斜視図である。
【図１Ｃ】第１の実施位形態の表示装置付机の天板に取り付けるベース金具とジョイントの側面構成図である。
【図１Ｄ】第１の実施形態のベース金具に取り付けたジョイント部分の要部斜視拡大図である。
【図２Ａ】第１の実施形態のベース金具を固定した机を上方斜めから見た斜視図である。
【図２Ｂ】第１の実施形態のベース金具を固定した机を下方斜めから見た斜視図である。
【図３Ａ】表示装置付机に装着する飾りカバーの外観を示す図である。
【図３Ｂ】表示装置付机に装着する飾りカバーの外観を示す他の図である。
【図４】本発明による表示装置付机の第２の実施形態におけるベース金具の構成を示す図である。
【図５】ジョイントに応じてベース金具を分離させた構造を示す図である。
【発明を実施するための形態】
【００１８】
以下に本発明に係る実施形態を具体的に説明する。なお、以下の実施形態では、机の天板の上面の一方の端部に、表示画面を天板の反対側の端部に向けて、表示装置を設置した表示装置付机の構成例を説明するが、表示装置を設置可能な状態の机（学習机）も本発明に係る実施形態に含む。この場合、机は、天板の上面の一方の端部の所定位置に、表示画面を天板の反対側の端部に向けて、表示装置を設置可能な机として構成され、その机に対して、所定位置に表示装置を設置した際に、下記の実施形態に示すような機能を実現するものとする。
【００１９】
（実施形態１）
図１Ａ〜図１Ｄは、本発明の第１の実施形態における表示装置付机の外観構成例を示す図で、図１Ａは第１の実施形態の表示装置付机を正面側斜方から見た全体斜視図、図１Ｂは表示装置付机の分解構成を背面側斜方から見た斜視図、図１Ｃは表示装置付机の天板に取り付けるベース金具とジョイントの側面構成図、図１Ｄはベース金具に取り付けたジョイント部分の要部斜視拡大図である。
【００２０】
表示装置付机１は、机１０と、薄型の表示装置２０とが組み合わされて構成されている。表示装置２０は、ＦＰＤ（Flat Panel Display）を用いた薄型の表示装置で、例えば液晶表示パネルを使用した液晶表示装置として構成される。
表示装置２０は、机１０の天板１１の一方の端部に、表示装置２０の表示画面２１を天板１１の反対側の端部に向けて、天板１１の表面に設置されている。この例では、表示装置２０は、天板１１に対して垂直になるように設置されているが、この構成に限定されることなく、表示装置２０が天板１１に対して斜めになるように配置されていてもよい。また、表示装置２０と天板１１との角度が変更可能なチルト機構を設けて、適宜天板１１と表示装置２０との角度を設定できるようにしてもよい。以下は、表示装置２０が天板１１に対して垂直に設けられている構成を例として説明する。
視聴者は、通常、表示装置付机１の前面に座して、表示装置２０の表示画面２１を見ながら、机１０の天板１１を利用して学習等の作業を行うことができる。
【００２１】
天板１１の端部には、表示装置２０が取り付けられる。本実施形態では、天板１１の端部に、ベース金具３０が固定され、そのベース金具３０にジョイント３１が取り付けられている。そしてジョイント３１の上端部に表示装置２０が取り付けられる。本発明に係る実施形態では、ベース金具３０は、天板１１の側面側から天板１１の面方向に差し込むことで、固定できるようになっているため、天板１１に穴あけや切欠きなどの加工を施すことなく、ベース金具３０を天板１１に固定することができ、ベース金具に取り付けられたジョイント３１を用いて表示装置２０を天板１１の端部に取り付けることができる。
【００２２】
図１Ｄに示すように、本実施形態ではジョイント３１は、ベース金具３０に対して取り付けられる。ベース金具３０は天板１１に固定され、ジョイント３１を安定し保持するベース基材として機能する。
ベース金具３０には、スリット３４が設けられ、このスリット３４に対してジョイント３１がスリット３４の長手方向に移動可能に取り付けられる。スリット３４の長手方向は、ジョイント３１に取り付ける表示装置２０の水平方向（左右の幅方向）に一致している。またジョイント３１には、高さ方向に複数のジョイント孔（この例では４つ）３３が配列されていて、任意のジョイント孔３３を用いて表示装置２０を固定することにより、表示装置２０の天板１１に対する高さを調整することができる。
【００２３】
図１Ｃおよび図１Ｄに示すように、ベース金具３０は、断面がコの字型に形成され、天板１１の側面から天板１１に差し込んで固定される。すなわちベース金具３０は、天板１１の上面に接触する部材である上面接触部３０ａと、上面接触部３０ａが天板１１の端部側面に沿って屈曲し、下方に延伸する側面部３０ｂと、側面部３０ｂが屈曲して天板１１の下面に沿って延伸された延伸部３０ｃとを有して構成されている。
【００２４】
そして、天板１１の下面側に位置する延伸部３０ｃには、ベース金具３０を天板１１に固定するために用いる固定用の調整ネジ３２が複数設けられている。調整ネジ３２は、本発明の固定部材に相当するものであり、天板１１の下側から、天板１１の上面に接触する上面接触部３０ａに対して天板１１を押圧することにより、ベース金具３０を天板１１に固定する。調整ネジ３２を閉め込むことで、ベース金具３０を安定して天板１１に固定させることができる。本実施形態では、天板１１の下側の延伸部３０ｃの長さ（天板端面から表示装置２０の正面側に向けた奥行方向の長さ）の方が、天板１１の上側の上面接触部３０ａの同長さよりも長くなっている。固定用の調整ネジ３２は、天板１１の端面側と、その内側（表示装置２０の正面側）との２箇所に設けられ、その２箇所の位置で、図１Ｃの紙面奥行方向に、それぞれ複数の調整ネジ３２が設けられている。これにより調整ネジ３２は、２列に配列するように構成されている（後述の図２Ｂ参照）。
【００２５】
図２Ａおよび図２Ｂは、ベース金具３０を机１０の天板１１に固定した状態を示す図で、図２Ａはベース金具３０を固定した机を上方斜めから見た斜視図、図２Ｂはベース金具３０を固定した机を下方斜めから見た斜視図である。
図２Ａおよび図２Ｂに示されるように、断面がコの字型に形成されたベース金具３０は、天板１１の側面から天板１１に差し込んで固定される。そして調整ネジ３２によって、天板１１の下側から、天板１１の上面側のベース金具３０に対して天板１１を押圧することにより、ベース金具３０を天板１１に固定することができる。調整ネジ３２は、図示するように複数個所に設けられているため、それぞれの調整ネジ３２を用いて適切にベース金具３０を天板１１に固定することができる。
本構成によれば、コの字型のベース金具３０を天板１１に背面側側方から差し込んで、調整ネジ３２を閉め込んで固定するため、天板１１に穴あけや切欠き形成などの加工を施すことなく、一定範囲の厚さの天板１１であれば適宜ベース金具３０を固定することができる。
【００２６】
次にベース金具３０に取り付けられたジョイント３１に対する表示装置２０の取り付け構成を図１Ｂを参照して説明する。図１Ｂに示すように、ベース金具３０を天板１１の後方側側面から天板１１に差し込んで固定し、ベース金具３０に取り付けられたジョイント３１の上端部に表示装置２０を取り付ける。
ここでジョイント３１に表示装置２０を取り付ける際に、ジョイント３１の先端部を、表示装置２０の所定位置に設けられているジョイント取り付け孔に挿入し、これにより表示装置２０をジョイント３１により固定保持する。このときに表示装置２０の背面側に設けられた孔部２２からネジなどの固定具を差し込み、ジョイント３１に設けられたジョイント孔３３のいずれかに差し込んでネジ止めなどによって固定する。このときの固定具を差し込むジョイント孔３３の位置に応じて、天板１１に対する表示装置２０の高さを調整することができる。表示装置２０の高さを調整することで、ユーザのニーズに合わせることができる。また表示装置２０の下部に、冷却用の吸気孔が設けられている場合、上記高さ調整の機構により、表示装置２０と天板１１との間に、吸気用の間隙を確保することができる。
【００２７】
また、上記のようにジョイント３１は、天板１１に固定されているベース金具３０に対して、表示装置２０の水平方向に移動可能に設置されているため、ジョイント孔３３を差し込んで取り付けるためのジョイント取り付け孔の位置が異なる表示装置に対しても、ジョイント３１の位置を調整することにより一定範囲で対応が可能となる。
【００２８】
また、本実施形態では、表示装置２０と天板１１との間で、表示装置２０の正面側からベース金具３０とジョイント３１が見えないように覆い隠す飾りカバー４０を備える。図１Ａおよび図１Ｂに示すように、飾りカバー４０は、ジョイント３１に表示装置２０を取り付けた状態で、表示装置２０の正面側から、表示装置２０と天板１１との間に装着することで、ベース金具３０とジョイント３１とを覆い隠し、表示装置２０と天板１１との一体感を付与することができる。
図３Ａおよび図３Ｂは、飾りカバー４０の外観を示す図で、図３Ａおよび図３Ｂは、それぞれ異なる方向から見た飾りカバー４０の外観を示している。飾りカバーには、所定位置に切り欠き部４１が設けられる。切り欠き部４１は、飾りカバー４０を表示装置２０と天板１１との間に装着したときに、ジョイント３１に係合する部分であり、切り欠き部４１を設けることにより、飾りカバー４０を表示装置２０と天板１１との間に良好に装着することができる。なお、表示装置２０に応じてジョイント３１の位置が異なる場合には、それぞれのジョイント位置に応じた切り欠き部４１を有する飾りカバー４０を用意すればよい。
【００２９】
本実施形態の構成によれば、天板１１に取り付けたジョイント３１によって表示装置２０を固定するため、天板１１上の机上面の作業領域を広く確保することができ、天板１１の背面側に突出する構成部材がないため、表示装置付机１を壁際に設置したときに、表示装置付机１と壁との間に不要な空間が生じないようすることができる。また、天板１１に切欠き形成や穴あけなどの加工を施すことなく、天板１１に表示装置２０を取り付けることができる。
【００３０】
（実施形態２）
図４は、本発明による表示装置付机の第２の実施形態におけるベース金具の構成を示す図で、表示装置付机の天板に取り付けるベース金具とジョイントの側面構成図である。本実施形態では、実施形態１と比較してベース金具の形状が若干異なっている。
本実施形態では、実施形態１と同様に、ベース金具３０は、断面がコの字型に形成され、天板１１の側面から天板１１に差し込んで固定される。このベース金具３０は、天板１１の上面に接触する部材である上面接触部３０ａと、上面接触部３０ａが天板１１の端部側面に沿って屈曲し、下方に延伸する側面部３０ｂと、側面部３０ｂが屈曲して天板１１の下面に沿って延伸された延伸部３０ｃとを有して構成されている。
【００３１】
天板１１の下面側に位置する延伸部３０ｃには、ベース金具を天板１１に固定するために用いる固定用の調整ネジ３２が複数設けられている。調整ネジ３２は、本発明の固定部材に相当するものであり、天板１１の下側から、天板１１の上面に接触する上面接触部３０ａに対して天板１１を押圧することにより、ベース金具３０を天板１１に固定する。調整ネジ３２を閉め込むことで、ベース金具３０を安定して天板１１に固定させることができる。
【００３２】
本実施形態では、実施形態１と比較して、天板１１の下面側に位置する延伸部３０ｃの長さ（天板端面から表示装置２０の正面側に向けた奥行方向の長さ）が、実施形態１よりも短くなっている。延伸部３０ｃの奥行き方向の長さは、天板１１の上側の上面接触部３０ａの長さと同等もしくは、若干長い程度とする。
固定用の調整ネジ３２は、天板１１の端面側の１箇所に設けられ、その１箇所の位置で、図４の紙面奥行方向に、それぞれ複数の調整ネジ３２が１列に設けられている。延伸部３０ｃの奥行き方向の長さを短くすることで、簡易な構成でベース金具３０を天板１１に固定することができるようになる。
【００３３】
（実施形態３）
図５は、ジョイント３１に応じてベース金具３０を分離させた構造を示す図である。上記実施形態１、２の例では、ベース金具３０は、複数のジョイント３１を取り付けた一体の板状部材により形成されている。これに対して図５に示すように、ベース金具３０を分離構造とし、ジョイント３１の数に応じて所定の大きさの複数のベース金具３０を用意し、各ベース金具３０に対して１つのジョイント３１を取り付ける。
各ジョイント３１を天板１１に取り付ける構成は、実施形態１、２と同様とする。すなわち断面がコの字型に形成された個々のベース金具３０は、天板１１の側面から天板１１に差し込んで固定される。そして調整ネジ３２によって、天板１１の下側から、天板１１の上面側のベース金具３０に対して天板１１を押圧することにより、ベース金具３０を天板１１に固定することができる。
こうして、ベース金具３０を分離した構造により、ベース金具３０を一体に形成した構造と同様に表示装置２０を天板１１上に取り付けることができる。ベース金具３０を分離させた構造をとることにより、ベース金具の材料を削減して簡素化することができる。またこの場合、個々のベース金具３０の取り付け位置を適宜調整することができるため、ベース金具３０上でジョイント３１の移動を可能にするためのスリット３４は設けなくてもよい。
【００３４】
本実施形態の構成によれば、天板１１に固定したベース金具３０の取り付けられたジョイント３１によって表示装置２０を固定するため、天板１１上の机上面の作業領域を広く確保することができ、天板１１の背面側に突出する構成部材がないため、表示装置付机１を壁際に設置したときに、表示装置付机１と壁との間に不要な空間が生じないようすることができる。
【００３５】
上記の各実施形態で記載されている技術的特徴（構成要件）は、お互いに組み合わせ可能であり、組み合わせることにより、新しい技術的特徴を形成することができる。
【符号の説明】
【００３６】
１…表示装置付机、１０…机、１１…天板、２０…表示装置、２１…表示画面、２２…孔部、３０…ベース金具、３０ａ…上面接触部、３０ｂ…側面部、３０ｃ…延伸部、３１…ジョイント、３２…調整ネジ、３３…ジョイント孔、３４…スリット、４０…飾りカバー、４１…切り欠き部。
【図１Ａ】
2017042504.tif 000003
【図１Ｂ】
2017042504.tif 000004
【図１Ｃ】
2017042504.tif 000005
【図１Ｄ】
2017042504.tif 000006
【図２Ａ】
2017042504.tif 000007
【図２Ｂ】
2017042504.tif 000008
【図３Ａ】
2017042504.tif 000009
【図３Ｂ】
2017042504.tif 000010
【図４】
2017042504.tif 000011
【図５】
2017042504.tif 000012